(57)【特許請求の範囲】
【請求項１】
携帯電話使用者の口部を覆う形状にしてゴム又は合成樹脂等の柔軟弾性を有する外被体内に発泡材からなる内装体を内装して装着体を形成し、該装着体に使用中の話声を放出する底面を有して先止まり穴状の放話部を形成すると共に該装着体に携帯電話の送話部が該放話部の底部に臨むように挿通可能な挿通口を開穿形成し、該内装体に上記放話部の底面の先方となる位置に空洞部を形成したことを特徴とする携帯電話用消音器。
【請求項２】
上記装着体の外被体を次第に先方位置が小さくなる略砲弾形状に形成してなることを特徴とする請求項１記載の携帯電話用消音器。
【請求項３】
上記内装体を上記外被体に対して着脱交換自在に設けてなることを特徴とする請求項１又は２記載の携帯電話用消音器。
【請求項４】
上記装着体を愛玩動物やオブジェ小物、玩具等の疑似形態に形成してなることを特徴とする請求項１〜３のいずれか１項に記載の携帯電話用消音器。
【発明の詳細な説明】
【０００１】
【発明の属する技術分野】
本発明は例えば各種の携帯電話を使用する際に用いられる携帯電話用消音器に関するものである。
【０００２】
【従来の技術】
近年の情報化時代の到来に伴って市街地に限らず新幹線や電車などの車内で手軽に使用できることから携帯電話やＰＨＳ電話が急速に普及してきている。
【０００３】
【発明が解決しようとする課題】
しかしながらこれら携帯電話を新幹線や電車などの車内において使用すると、携帯電話を使用している際の話声が周囲の人に非常に迷惑となり、又、街の中での使用や、会議中での使用も同様であり、このため、携帯電話の使用場所の制約が生じ、よって、携帯電話の利便性を低下させることがあるという不都合を有している。
【０００４】
【課題を解決するための手段】
本発明はこのような不都合を解決することを目的とするもので、本発明のうちで、請求項１記載の発明は、携帯電話使用者の口部を覆う形状にしてゴム又は合成樹脂等の柔軟弾性を有する外被体内に発泡材からなる内装体を内装して装着体を形成し、該装着体に使用中の話声を放出する底面を有して先止まり穴状の放話部を形成すると共に該装着体に携帯電話の送話部が該放話部の底部に臨むように挿通可能な挿通口を開穿形成し、該内装体に上記放話部の底面の先方となる位置に空洞部を形成したことを特徴とする携帯電話用消音器にある。
【０００５】
又、請求項２記載の発明は、上記装着体の外被体を次第に先方位置が小さくなる略砲弾形状に形成してなることを特徴とするものであり、又、請求項３記載の発明は、上記内装体を上記外被体に対して着脱交換自在に設けてなることを特徴とするものであり、又、請求項４記載の発明は、上記装着体を愛玩動物やオブジェ小物、玩具等の疑似形態に形成してなることを特徴とするものである。
【０００６】
【発明の実施の形態】
図１乃至図３は本発明の実施の形態例を示し、１は装着体であって、携帯電話使用者の口部を覆う形状にしてゴム又は軟質ビニル等の合成樹脂等の柔軟弾性を有する外被体２内に発泡材からなる内装体３を内装して構成している。
【０００７】
この場合、外被体２はゴムからなり、又、内装体３は発泡材としてのスポンジ状を呈するエーテル系やエステル系の軟質ポリウレタンフォームが用いられ、その他、発泡材が用いられる。
【０００８】
４は放話部であって、上記装着体１の上部に底面を半球状にして形成され、この底面を有して先止まり穴状に形成され、携帯電話Ｗを使用するときに使用者の口部に当てて話声が放出される。
【０００９】
５は挿通口であって、上記装着体１の側部に携帯電話Ｗの大きさに応じた大きさにして上記放話部４に開穿形成され、携帯電話Ｗを挿通口５に挿通することにより携帯電話Ｗの送話部Ｗ1が放話部４に臨むように構成している。
【００１０】
６は空洞部であって、内装体３に、上記放話部４の底面の先方となる位置に形成されている。
【００１１】
この場合、上記装着体１の外被体２を次第に先方位置が小さくなる略砲弾形状に形成すると共に上記内装体３を上記外被体２に対して着脱交換自在に設けて構成している。
【００１２】
尚、上記装着体１を愛玩動物やオブジェ小物、玩具等の疑似形態に形成することもある。
【００１３】
この実施の形態例は上記構成であるから、装着体１の挿通口５に携帯電話Ｗを挿通し、携帯電話Ｗを持って携帯電話Ｗの受話部Ｗ2を使用者Ｋの耳部Ｋ1に宛てがうと共に使用者Ｋの口部Ｋ2を放話部４に宛てがい、携帯電話Ｗを使用することになり、この際、使用者の話声は放話部４に放出され、放話部４に臨む送話部Ｗ1から携帯電話Ｗの中に取り込まれ、放話部４に放出された話声は使用者の口部Ｋ2を覆う形状の発泡材からなる内装体３及びゴム又は合成樹脂等の柔軟弾性を有する外被体２により吸音され、外部への音漏れを抑制することができ、したがって、携帯電話を新幹線や電車などの車内で使用したとしても、それ程、話声が周囲の人に迷惑とならず、それだけ、携帯電話の使用場所の制約を受けることがなくなり、携帯電話の使用の融通性を高めることができ、かつ、装着体１を折り曲げたり潰して携帯することができ、使用の利便性を向上することができ、さらに、装着体１により携帯電話を外力から保護することもできる。
【００１４】
又、この場合、内装体３に上記放話部４の底面の先方となる位置に空洞部６を形成しているから、低周波域での吸音性を高めることができ、又、この場合、上記装着体１の外被体２を次第に先方位置が小さくなる略砲弾形状に形成しているから、一層吸音性を高めることができ、又、この場合、上記内装体３を上記外被体２に対して着脱交換自在に設けているから、汚れた場合に内装体３を交換することができると共に衛生的に使用することができる。
【００１５】
尚、上記装着体１を愛玩動物やオブジェ小物、玩具等の疑似形態に形成することにより、デザインの斬新性を高めて購買意欲を刺激すると共に違和感なく使用することができ、普及を図ることができる。
【００１６】
尚、本発明は上記実施の形態例に限られるものではなく、装着体１、外被体２、内装体３等の材質、構造や形態等は適宜変更して設計される。
【００１７】
【発明の効果】
本発明は上述の如く、請求項１記載の発明にあっては、装着体の挿通口に携帯電話を挿通し、携帯電話を持って携帯電話の受話部を使用者の耳部に宛てがうと共に使用者の口部を放話部に宛てがい、携帯電話を使用することになり、この際、使用者の話声は放話部に放出され、放話部に臨む送話部から携帯電話の中に取り込まれ、放話部に放出された話声は使用者の口部を覆う形状の発泡材からなる内装体及びゴム又は合成樹脂等の柔軟弾性を有する外被体により吸音され、外部への音漏れを抑制することができ、したがって、携帯電話を新幹線や電車などの車内で使用したとしても、それ程、話声が周囲の人に迷惑とならず、それだけ、携帯電話の使用場所の制約を受けることがなくなり、携帯電話の使用の融通性を高めることができ、かつ、装着体を折り曲げたり潰して携帯することができ、使用の利便性を向上することができ、さらに、内装体に上記放話部の底面の先方となる位置に空洞部を形成しているから、低周波域での吸音性を高めることができる。
【００１８】
又、請求項２記載の発明にあっては、上記装着体の外被体を次第に先方位置が小さくなる略砲弾形状に形成しているから、一層吸音性を高めることができ、又、請求項３記載の発明にあっては、上記内装体を上記外被体に対して着脱交換自在に設けているから、汚れた場合に内装体を交換することができると共に衛生的に使用することができ、又、請求項４記載の発明にあっては、上記装着体を愛玩動物やオブジェ小物、玩具等の疑似形態に形成することにより、デザインの斬新性を高めて購買意欲を刺激すると共に違和感なく使用することができる。
【００１９】
以上、所期の目的を充分達成することができる。
【図面の簡単な説明】
【図１】  本発明の実施の形態例の断面図である。
【図２】  本発明の実施の形態例の平面図である。
【図３】  本発明の実施の形態例の使用状態図である。
【符号の説明】
Ｗ  携帯電話
Ｗ1  送話部
１  装着体
２  外被体
３  内装体
４  放話部
５  挿通口
６  空洞部
【図１】
0003637557.tif 000002
【図２】
0003637557.tif 000003
【図３】
0003637557.tif 000004